(57)【要約】【課題】  非常に簡単な構成で断線しにくい電熱線を用いた温熱効果を有するマッサージ装置を提供する。【解決手段】  マッサージ器本体１１と、前記マッサージ器本体に設けられた駆動源１２と、前記マッサージ器本体１１の内側に設けられ、前記駆動源にシャフト１３を介して接続された振動子１４と、から構成され、ハンディタイプマッサージ器１において、前記マッサージ器本体１１は、前記シャフト１３及び前記振動子１４を覆う内装部材１１ｂを有し、前記内装部材１１ｂの少なくとも一部に溝部が設けられ、そして前記溝部には、電熱線１５が設けられている。【選択図】      図１
0003128335.tif 000002
【実用新案登録請求の範囲】
【請求項１】
少なくとも外側部分の身体に適用部分が可撓性材料で構成されたマッサージ器本体と、
前記マッサージ器本体に設けられた駆動源と、
前記マッサージ器本体の内側に設けられ、前記駆動源にシャフトを介して接続された振動子と、
から構成されたハンディタイプマッサージ器であって、
前記マッサージ器本体は、
前記シャフト及び前記振動子を覆う内装部材を有し、
前記内装部材の少なくとも一部に溝部が設けられ、そして
前記溝部には、電熱線が設けられている
ことを特徴とする、ハンディタイプマッサージ器。
【請求項２】
前記駆動源が前記マッサージ器本体に設けられた電池により駆動することを特徴とする実用新案登録請求の範囲第１項に記載のハンディマッサージ器。
【考案の詳細な説明】
【技術分野】
【０００１】
本考案は、温熱効果とマッサージ効果の両方を有するハンディタイプマッサージ器に関する。
【背景技術】
【０００２】
従来理学療法の分野では、マッサージ効果とともに温熱効果により適用部に相乗効果をもたらすため、温風、熱源による加熱等の種々のタイプの温熱効果を有するマッサージ装置が開発されている。
【０００３】
例えば、特許文献１には、手持ち可能な中空のケーシングと、このケーシングの先端部に連結されたマッサージ部材と、前記ケーシングの先端部に形成された排気口から前記マッサージ部材の直ぐ側方に向かって温風を吹き出すべく当該ケーシングの内部に収納された送風手段と、を備えている手持ち式マッサージ装置が開示されている。
【０００４】
また、特許文献２には、単点式インパルスハンマーや多点式インパルスハンマーにより皮膚面を加温しながら、タイムスイッチにより時間を決めたインパルサーにバイブレーターを通じて皮膚に放電せしめる様にしたインパルスハンマー装置が開示されている。
【０００５】
【特許文献１】特開２００２−３１５８０５号公報  （請求項１、図１）
【特許文献２】特開２０００−１９７６８６号公報  （請求項１、図１）
【考案の開示】
【考案が解決しようとする課題】
【０００６】
これらの温熱効果を有するマッサージ器のうち、熱源としてニクロム線等の電熱線を用いる方式が最も簡単に適用部位に温熱効果とマッサージ効果を与える最も簡単な方式であるが、このような電熱線は断線しやすく、身体の適用箇所に適用を繰り返すと、断線する等の場合がある。
【０００７】
従って、本考案の課題は、非常に簡単な構成で断線しにくい電熱線を用いた温熱効果を有するマッサージ装置を提供することである。
【課題を解決するための手段】
【０００８】
上記課題を解決する本考案は、
少なくとも外側部分の身体に適用部分が可撓性材料で構成されたマッサージ器本体と、
前記マッサージ器本体に設けられた駆動源と、
前記マッサージ器本体の内側に設けられ、前記駆動源にシャフトを介して接続された振動子と、
から構成されたハンディタイプマッサージ器であって、
前記マッサージ器本体は、
前記シャフト及び前記振動子を覆う内装部材を有し、
前記内装部材の少なくとも一部に溝部が設けられ、そして
前記溝部には、電熱線が設けられている
ことを特徴とする、ハンディタイプマッサージ器に関する（請求項１）。
【０００９】
本考案におけるハンディタイプマッサージ器において、前記駆動源を電池により駆動することができる。
【考案の効果】
【００１０】
本考案によると、非常に簡単な構成で身体に繰り返し適用しても断線しにくい温熱効果を有するハンディタイプマッサージ器が提供される（請求項１）。
請求項２に記載の考案によると、請求項１に記載の考案の効果に加えて、電池駆動式のより簡単な構成でかつ安価な温熱効果を有するハンディタイプマッサージ器が提供される（請求項２）。
【考案を実施するための最良の形態】
【００１１】
以下、本考案の実施の形態を添付図面に基づいて説明する。図１は、本考案の温熱効果を有するハンディタイプマッサージ器の概略を示す概略断面図であり、（ａ）は、マッサージ器全体を示し、そして（ｂ）は各構成要素を示す。図２は、本考案の一実施形態における配線を示す配線図である。
なお、以下の実施形態では、電池駆動式の温熱効果を有するハンディタイプマッサージ器を説明するが本考案はこれに限定されるものではない。
【００１２】
図１（ａ）、（ｂ）に示す通り、本考案の温熱効果を有するハンディタイプマッサージ器１は、マッサージ器本体１１と、前記マッサージ器本体１１に設けられた駆動源１２と、前記マッサージ器本体１１の内側に設けられ、前記駆動源にシャフト１３を介して接続された振動子１４から主として構成されている。
なお、駆動源１２は、モータ等の回転駆動源からの回転運動を振動運動に変換するギアから構成されたギアボックス１２ａ、前記モータを駆動させるための電源（本実施形態では電池ボックス）とから構成されている。
【００１３】
マッサージ器本体１１は、少なくとも直接身体に適用される部分が可撓性材料（例えば、軟質塩化ビニル、軟質エラストマ）で構成された外装部材１１ａと、少なくとも振動子１４部分（本実施形態では、シャフト部分を含んだ部分）を覆う内装部材１１ｂとから構成されている。
【００１４】
内装部材１１ｂの材質は特に限定されるものではないが、外装部材１１ａと同様に可撓性材料（例えば、軟質塩化ビニル、軟質エラストマ）で構成することができる。
そして、内装部材１１ｂには、外周方向に電熱線１５を埋設するための溝が刻んであり、この溝に電熱線１５を埋設している。
このように溝に電熱線１５を埋設することによって、繰り返しの適用によっても電熱線１５の断線を防ぐことが可能である。
【００１５】
電熱線１５は、所定の熱を身体部分に伝えるような太さ及び間隔で配置されていれば特に限定されるものではないが（例えば、外装部材１１ａの材質が軟質塩化ビニルまたは軟質エラストマであり、外装部材１１ａの厚さが2ｍｍ程度の場合には）、０．４ｍｍ程度のシリコンテープヒータである。あるいは、ニクロム線等の他の電熱線であってもよい。この場合、電熱線には図示しない絶縁体、例えばシリコンチューブ、塩化ビニルチューブ内に収納されている。
【００１６】
なお、本発明の好ましい実施形態では、図２に示す通り、駆動源の動力である電池から電熱線の熱源を供給している。
このように構成することによって、非常に簡単な構成により、身体の適用部への振動子による回転効果（振動効果）とともに、電熱線による温熱効果を付与することが可能となる。
【図面の簡単な説明】
【００１７】
【図１】本考案の温熱効果を有するハンディタイプマッサージ器の概略を示す概略断面図であり、（ａ）は、マッサージ器全体を示し、そして（ｂ）は各構成要素を示す。
【図２】本考案の一実施形態における配線を示す配線図である。
【符号の説明】
【００１８】
１      マッサージ器
１１    マッサージ器本体
１１ａ  外装部材
１１ｂ  内装部材
１２    駆動源
１３    シャフト
１４    振動子
１５    熱源
【図１】
0003128335.tif 000003
【図２】
0003128335.tif 000004